(57)【要約】      （修正有）【課題】駆動プーリが移動しても、防塵性が低下しないワイヤ切断機を提供する。【解決手段】ワイヤ切断機は、被切断物６０を切断するワイヤ５０と、ワイヤを駆動し、所定方向に移動する駆動プーリ３と、駆動プーリの移動を案内する上下ガイド４と、ワイヤを覆う左右のワイヤカバーと、駆動プーリ及びガイドを収容し、固定された筐体６を備える。駆動プーリが移動しても、筐体は移動せず、防塵性が低下しない。【選択図】図２
0003210349.tif 000002
【実用新案登録請求の範囲】
【請求項１】
被切断物を切断するワイヤと、該ワイヤを駆動し、所定方向に移動する駆動プーリと、該駆動プーリの移動を案内するガイドと、前記ワイヤを覆うワイヤカバーとを備えるワイヤ切断機において、
前記駆動プーリ及びガイドを収容し、固定された筐体を備えること
を特徴とするワイヤ切断機。
【請求項２】
前記筐体の一部が透明であること
を特徴とする請求項１に記載のワイヤ切断機。
【請求項３】
前記筐体は、
開口を有する箱体と、
前記開口を覆っており、取り外し可能な蓋と
を有すること
を特徴とする請求項１又は２に記載のワイヤ切断機。
【請求項４】
前記ワイヤカバーの一部が透明であること
を特徴とする請求項１から３のいずれか一つに記載のワイヤ切断機。
【請求項５】
前記ワイヤカバーは、
第２開口を有する第２箱体と、
前記第２開口を覆っており、取り外し可能な第２蓋と
を有すること
を特徴とする請求項１から４のいずれか一つに記載のワイヤ切断機。
【請求項６】
前記ワイヤカバー及び筐体は前記被切断物に固定されていること
を特徴とする請求項１から５のいずれか一つに記載のワイヤ切断機。
【考案の詳細な説明】
【技術分野】
【０００１】
本考案は、ワイヤによって被切断物を切断するワイヤ切断機に関する。
【背景技術】
【０００２】
従来、被切断物、例えばコンクリート製のブロックを切断する為に、ワイヤを使用した乾式の切断装置が提案されている。切断装置は、駆動プーリ及び従動プーリにワイヤを掛けて、駆動プーリを回転させることによって、ワイヤが駆動し、ブロックを切断する。
【０００３】
ブロックの切断の進行に伴って、ワイヤに弛みが生じるので、駆動プーリはブロックから離れる方向に移動する。駆動プーリの移動によって、ワイヤに張力が付与され、ワイヤの弛みを防止することができる。駆動プーリ、従動プーリ及びワイヤはそれぞれ独立したカバーによって覆われている。カバーは塵の飛散を防止する。駆動プーリは、該駆動プーリを覆うカバーと共に移動する。従動プーリ及び該従動プーリを覆うカバーは固定されている（例えば特許文献１参照）。
【先行技術文献】
【特許文献】
【０００４】
【特許文献１】特開２０１３−１０２９７号公報
【考案の概要】
【考案が解決しようとする課題】
【０００５】
駆動プーリの移動によって、駆動プーリを覆っているカバーと、従動プーリを覆っているカバーとは離間する。そのため、二つのカバーの間から塵が飛散するおそれがある。
【０００６】
本考案は係る事情に鑑みてなされたものであり、駆動プーリが移動しても、防塵性が低下しないワイヤ切断機を提供することを目的とする。
【課題を解決するための手段】
【０００７】
本考案に係るワイヤ切断機は、被切断物を切断するワイヤと、該ワイヤを駆動し、所定方向に移動する駆動プーリと、該駆動プーリの移動を案内するガイドと、前記ワイヤを覆うワイヤカバーとを備えるワイヤ切断機において、前記駆動プーリ及びガイドを収容し、固定された筐体を備えることを特徴とする。
【０００８】
本考案においては、固定された筐体が駆動プーリ及びガイドを収容している。駆動プーリが移動しても、筐体は移動しない。
【０００９】
本考案に係るワイヤ切断機は、前記筐体の一部が透明であることを特徴とする。
【００１０】
本考案においては、ユーザは、筐体の透明な部分を通して、駆動プーリの状態を視認する。
【００１１】
本考案に係るワイヤ切断機は、前記筐体は、開口を有する箱体と、前記開口を覆っており、取り外し可能な蓋とを有することを特徴とする。
【００１２】
本考案においては、ユーザはカバーを取り外して、駆動プーリの保守点検及びワイヤの交換等を行う。
【００１３】
本考案に係るワイヤ切断機は、前記ワイヤカバーの一部が透明であることを特徴とする。
【００１４】
本考案においては、ユーザは、ワイヤカバーの透明な部分を通して、ワイヤの状態及び塵の貯まり具合を視認する。
【００１５】
本考案に係るワイヤ切断機は、前記ワイヤカバーは、第２開口を有する第２箱体と、前記第２開口を覆っており、取り外し可能な第２蓋とを有することを特徴とする。
【００１６】
本考案においては、ユーザはカバーを取り外して、ワイヤの保守点検及び交換、並びに塵の除去作業等を行う。
【００１７】
本考案に係るワイヤ切断機は、前記ワイヤカバー及び筐体は前記被切断物に固定されていることを特徴とする。
【００１８】
本考案においては、ワイヤカバー及び筐体は被切断物に固定されており、筐体及びワイヤカバーは移動しない。そのため、筐体又はワイヤカバーの移動によって、筐体又はワイヤカバーと、筐体又はワイヤカバーに隣接する物体との間に隙間が発生し、塵が漏出することを防止することができる。
【考案の効果】
【００１９】
本考案に係るワイヤ切断機にあっては、固定された筐体が駆動プーリ及びガイドを収容している。駆動プーリが移動しても、筐体は移動しないので、筐体と、該筐体に隣接した物体との間に空間は生じず、防塵性の低下を防止することができる。
【図面の簡単な説明】
【００２０】
【図１】ワイヤ切断機を略示する平面図である。
【図２】図１に示すＩＩ―ＩＩ線を切断線とした断面図である。
【図３】図１に示すＩＩＩ―ＩＩＩ線を切断線とした断面図である。
【図４】図２に示すＩＶ―ＩＶ線を切断線とした断面図である。
【考案を実施するための形態】
【００２１】
以下本考案を、実施の形態に係るワイヤ切断機を示す図面に基づいて説明する。図１は、ワイヤ切断機を略示する平面図、図２は、図１に示すＩＩ―ＩＩ線を切断線とした断面図、図３は、図１に示すＩＩＩ―ＩＩＩ線を切断線とした断面図である。以下の説明では図に示す上下前後左右を使用する。なおワイヤ切断機は、前後に延びた直方体状の被切断物６０を切断するものとするが、直方体状は被切断物６０の形状の一例に過ぎず、被切断物６０は他の形状でもよい。
【００２２】
ワイヤ切断機は、被切断物６０の上面に固定されたベース板１と、該ベース板１に連結しており、左右方向に延びた支持バー２とを備える。支持バー２には、回転可能な複数の従動プーリ３が左右に並設されている。従動プーリ３は前後方向を軸方向とし、ワイヤ５０を上下方向に送る。
【００２３】
ベース板１から上方に棒状の上下ガイド４が突出している。上下ガイド４には、上下方向に移動可能な移動体５ａが設けられている。該移動体５ａには、回転可能な駆動プーリ５が設けられている。駆動プーリ５は前後方向を軸方向とし、ワイヤ５０を上下方向に送る。
【００２４】
駆動プーリ５、上下ガイド４及び従動プーリ３を覆う直方体状の筐体６が被切断物６０の上面部に固定されている。筐体６は、前面部に開口６ｂを有する箱体６ａと、該開口６ｂを覆っており、取り外し可能な板状の透明な蓋６ｃとを備える。箱体６ａの下面に底開口６ｄが設けられており、ベース板１は底開口６ｄの内側に配置されている。
【００２５】
ベース板１の一部は箱体６ａの後面下部から突出している。ベース板１の突出した部分と箱体６ａとの間の隙間は封止されている。また支持バー２の両端部は箱体６ａの左面部及び右面部からそれぞれ突出している。支持バー２の両端部と箱体６ａとの間の隙間は封止されている。
【００２６】
箱体６ａの後面部に上下方向に延びたスリット（図示略）が設けられており、移動体５ａの一部はスリットから外側に突出している。スリットの内側には封止部材（図示略）が設けられており、移動体５ａが移動しても、移動体５ａと箱体６ａとの間は封止されている。箱体６ａの左側面下部には、塵を吸引する為の吸引口６ｅが形成されている。吸引口６ｅにはバキューム装置（図示略）が接続される。
【００２７】
箱体６ａの左右部分は、被切断物６０よりも外側に突出している。箱体６ａの左右部分それぞれの下側に、上下に延びた防護パイプ７が設けられている。防護パイプ７の上端部は箱体６ａの下面に嵌入している。
【００２８】
被切断物６０の左側面に、左ワイヤカバー９が固定されている。左ワイヤカバー９は、前後に延びた直方体状の箱体９ａ（第２箱体）を備える。箱体９ａの前端部は左側の防護パイプ７の下側に配置されている。箱体９ａの右側面部は開口し、該右側面部は被切断物６０によって塞がれている。
【００２９】
箱体９ａの上面部には、一又は複数（本実施例では二つ）の開口９ｂ（第２開口）が設けられている。開口９ｂは透明の蓋９ｃ（第２蓋）によって覆われている。蓋９ｃは箱体９ａから取り外すことができる。
【００３０】
左側の防護パイプ７の下端部と箱体９ａの前端部とは連結カバー１０によって連結されている。連結カバー１０は箱状をなす。連結カバー１０によって、左側の防護パイプ７と左ワイヤカバー９は連通している。連結カバー１０には、塵を吸引する為の吸引口１０ａが形成されている。吸引口１０ａにはバキューム装置が接続される。
【００３１】
連結カバー１０内には、ワイヤ５０の送り方向を変換する変換プーリ１１が設けられている。変換プーリ１１はワイヤ５０の送り方向を、前後方向から上下方向に又は上下方向から前後方向に変換する。
【００３２】
被切断物６０の右側面に、右ワイヤカバー８が固定されている。右ワイヤカバー８は、前後に延びた直方体状の箱体８ａ（第２箱体）を備える。箱体８ａの左側面部は開口し、該左側面部は被切断物６０によって塞がれている。
【００３３】
箱体８ａの上面部には、一又は複数（本実施例では二つ）の開口８ｂ（第２開口）が設けられている。開口８ｂは透明の蓋８ｃ（第２蓋）によって覆われている。蓋８ｃは箱体８ａから取り外すことができる。
【００３４】
右側の防護パイプ７の下端部と箱体８ａの前端部とは連結カバー１０によって連結されている。連結カバー１０は箱状をなす。連結カバー１０によって、右側の防護パイプ７と右ワイヤカバー８は連通している。
【００３５】
連結カバー１０内には、ワイヤ５０の送り方向を変換する変換プーリ１１が設けられている。変換プーリ１１はワイヤ５０の送り方向を、前後方向から上下方向に又は上下方向から前後方向に変換する。
【００３６】
駆動プーリ５よりも前側に、左右に貫通した二つの貫通孔６１が被切断物６０に前後に並設されている。前側の貫通孔６１の両端部は、左ワイヤカバー９及び右ワイヤカバー８それぞれの前端部に対向する。後側の貫通孔６１の両端部は、左ワイヤカバー９及び右ワイヤカバー８それぞれの後端部に対向する。
【００３７】
ワイヤ５０は無端状をなし、駆動プーリ５及び従動プーリ３に掛けられて、二つの防護パイプ７、二つの連結カバー１０、左ワイヤカバー９及び右ワイヤカバー８内に挿入され、前側の貫通孔６１に挿入されている。初期状態においては、ワイヤ５０には張力が付与され、ワイヤ５０は弛んでいない。ワイヤ５０は変換プーリ１１に掛けられており、ワイヤ５０の送り方向が変換される。
【００３８】
図４は、図２に示すＩＶ―ＩＶ線を切断線とした断面図である。駆動プーリ５の回転によって、ワイヤ５０が送られる。例えば、正面視時計回りに駆動プーリ５が回転した場合、従動プーリ３を介してワイヤ５０は右側の防護パイプ７内を下方に移動し、変換プーリ１１によって送り方向が変換され、右ワイヤカバー８内を後方に移動する。そして、前側の貫通孔６１を通って左ワイヤカバー９内を前方に移動し、変換プーリ１１によって送り方向が変換され、左側の防護パイプ７内を上方に移動する。ワイヤ５０は従動プーリ３を介して駆動プーリ５に戻る。
【００３９】
図４の白抜き矢印にて示すように、ワイヤ５０は、前側の貫通孔６１を通過しているときに、被切断物６０を切削する。駆動プーリ５は徐々に上方に移動し、ワイヤ５０は徐々に前側に移動する。ワイヤ５０が前側の貫通孔６１に至ったとき、駆動プーリ５は停止する。被切断物６０の切削により、ワイヤ５０は弛むが、駆動プーリ５が上方に移動することによって、ワイヤ５０の弛みを防止する。
【００４０】
部品の接続箇所及びワイヤ５０の送り方向が変換される箇所、即ち防護パイプ７の上端部及び連結カバー１０には、塵が貯まり易い。特にワイヤ５０の送り方向の下流側に塵が貯まり易い。そのため下流側に位置する防護パイプ７及び連結カバー１０に吸引口６ｅ、１０ａが設けられており、該吸引口６ｅ、１０ａを通して、バキューム装置が塵を吸い出す。
【００４１】
なお駆動プーリ５が正面視反時計回りに回転し、ワイヤ５０が逆方向に移動してもよい。この場合においても、駆動プーリ５が時計回りに回転した場合と同様な作用効果を生じる。上記場合において、下流側に位置する防護パイプ７及び連結カバー１０に吸引口を設けてもよい。また二つの防護パイプ７及び二つの連結カバー１０の全てに吸引口を設けてもよい。
【００４２】
実施の形態に係るワイヤ切断機にあっては、固定された筐体６が駆動プーリ５及び上下ガイド４を収容している。駆動プーリ５が移動しても、筐体６は移動しないので、筐体６と、該筐体６に隣接した防護パイプ７との間に空間は生じない。そのため、筐体６と防護パイプ７とが離間し、防塵性が低下することを防止することができる。
【００４３】
またユーザは、透明な蓋６ｃを通して、駆動プーリ５の状態を視認し、駆動プーリ５に異常が発生していないか、容易に監視することができる。
【００４４】
またユーザは蓋６ｃを取り外して、駆動プーリ５の保守点検及びワイヤ５０の交換等を容易に行うことができ、作業性を向上させることができる。
【００４５】
またユーザは、ワイヤカバーの透明な蓋８ｃ、９ｃを通して、ワイヤ５０の状態及び塵の貯まり具合を視認する。
【００４６】
吸引口６ｅ、１０ａに設けたバキューム装置だけでは、ワイヤカバー内の塵を十分に吸い出すことができず、ワイヤカバーに塵が貯まることがある。上述したワイヤ切断機においては、ユーザは蓋９ｃを取り外して、ワイヤ５０の保守点検及び交換、並びに塵の除去作業等を行う。そのため、下流側のワイヤカバーに塵が貯まった場合でも、蓋８ｃを取り外して、塵を除去することができる。また吸引口６ｅ、１０ａが設けられていない上流側のワイヤカバーに塵が貯まった場合も、同様に塵を除去することができる。
【００４７】
また右ワイヤカバー８、左ワイヤカバー９及び筐体６は被切断物６０に固定されており、右ワイヤカバー８、左ワイヤカバー９及び筐体６は移動しない。そのため、右ワイヤカバー８、左ワイヤカバー９又は筐体６の移動によって、右ワイヤカバー８、左ワイヤカバー９又は筐体６と、これらに隣接する物体、例えば防護パイプ７又は連結カバー１０との間に隙間が発生し、塵が漏出することを防止することができる。
【００４８】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００４９】
３  駆動プーリ
４  上下ガイド（ガイド）
６  筐体
６ａ  箱体
６ｂ  開口
６ｃ  蓋
８  右ワイヤカバー
８ａ  箱体（第２箱体）
８ｂ  開口（第２開口）
８ｃ  蓋（第２蓋）
９  左ワイヤカバー
９ａ  箱体（第２箱体）
９ｂ  開口（第２開口）
９ｃ  蓋（第２蓋）
５０  ワイヤ
６０  被切断物
【図１】
0003210349.tif 000003
【図２】
0003210349.tif 000004
【図３】
0003210349.tif 000005
【図４】
0003210349.tif 000006